(57)【要約】一実施例における方法は、基地局ルーティング・アーキテクチャ・ネットワーク内の２つの移動端末間の通信を確立するステップと、すべてのトラフィックが基地局ルーティング・アーキテクチャ・ネットワーク内のアンカー・ポイントを通過する必要なしに、２つの移動端末間のルーティングを最適化するステップとを有する。ＩＰ無線基地局アーキテクチャは、ネットワーク内の移動端末とアンカー・ポイントとの間に透過的な接続を提供するために、ネットワーク制御によるモビリティを利用する。この透過性は、変化しているＩＰ無線基地局に関連付けられているモビリティを移動端末から隠し、無線信号を減少させる。
2010510753.tif 000002
【特許請求の範囲】
【請求項１】
基地局ルーティング・アーキテクチャ・ネットワーク内の２つの移動端末間の通信を確立するステップと、
すべてのトラフィックが前記基地局ルーティング・アーキテクチャ・ネットワーク内のアンカー・ポイントを通過する必要なしに、前記２つの移動端末間のルーティングを最適化するステップとを含む方法。
【請求項２】
前記２つの移動体間に最適化されたルーティング・トンネルを作成するために既存のＲＦＣ３７７５信号メッセージを使用するステップをさらに含む、請求項１に記載の方法。
【請求項３】
前記２つの移動端末のうちの少なくとも１つの動作のために前記トンネルを除去するステップをさらに含む、請求項２に記載の方法。
【請求項４】
前記アンカー・ポイントがホーム・エージェントであり、前記方法は、前記ＨＡホームエージェント）を介して、ＨＡ内のトラフィックを検出するステップと、次いで、移動局の接続点間に直接ルーティング・パスを確立して、前記ＨＡを通るすべてのトラフィックのトンネリングを排除するバインディング手順を開始するステップとをさらに含む、請求項１に記載の方法。
【請求項５】
前記移動局の接続点が基地局ルータ（ＢＳＲｓ）であり、前記方法は、
ＨＡが、ＭＮ１（ｍｏｂｉｌｅ  ｎｏｄｅ  １：移動ノード１）からＭＮ２（ｍｏｂｉｌｅ  ｎｏｄｅ  ２：移動ノード２）へのパケット、およびＭＮ２からＭＮ１へのパケットのうちの１つを検出するステップと、前記ＨＡがバインディング・アップデートをＢＳＲ１に送信して、ＭＮ２のためのＢＳＲ２のアドレスをＢＳＲ１に与えるステップと、前記ＨＡがバインディング・アップデートをＢＳＲ２に送信して、ＭＮ１のためのＢＳＲ１のアドレスをＢＳＲ２に与えるステップとをさらに含む、請求項４に記載の方法。
【請求項６】
アンカー・ポイントを有する基地局ルーティング・アーキテクチャ・ネットワーク内の２つの移動端末間で動作可能に結合された通信システムと、
すべてのトラフィックが前記基地局ルーティング・アーキテクチャ・ネットワーク内の前記アンカー・ポイントを通過する必要なしに、前記２つの移動端末間のルーティングを最適化する前記通信システムに動作可能に結合されたオプティマイザとを含む装置。
【請求項７】
前記基地局ルーティング・アーキテクチャ・ネットワークがＲＦＣ３７７５信号メッセージを有し、前記装置は、前記２つの移動端末間に最適化されたルーティング・トンネルを作成するモジュールをさらに含む、請求項６に記載の装置。
【請求項８】
前記アンカー・ポイントが専用ＨＡであり、前記装置がさらに、前記ＨＡを介してＨＡ内のトラフィックを検出する際に、移動局の接続点間に直接ルーティング・パスを確立して、前記ＨＡを通るすべてのトラフィックのトンネリングを排除するバインディング・アップデート手順をさらに含む、請求項６に記載の装置。
【請求項９】
前記移動局の接続点が基地局ルータ（ＢＳＲｓ）であり、前記装置は、ＭＮ１（移動ノード１）からＭＮ２（移動ノード２）へのパケット、およびＭＮ２からＭＮ１へのパケットのうちの１つを検出する専用ＨＡをさらに含み、前記専用ＨＡが、バインディング・アップデートをＢＳＲ１に送信して、ＭＮ２のためのＢＳＲ２のアドレスをＢＳＲ１に与え、前記専用ＨＡが、バインディング・アップデートをＢＳＲ２に送信して、ＭＮ１のためのＢＳＲ１のアドレスをＢＳＲ２に与える、請求項８に記載の装置。
【請求項１０】
専用ＨＡ１と専用ＨＡ２が互いのネットワーク・プレフィックスについて認識するときには、専用ＨＡ１と専用ＨＡ２のそれぞれの専用ＨＡが専用ＨＡ間のパケットを検出し、前記専用ＨＡ１がＭＮ１からＭＮ２へのパケットとＭＮ２からＭＮ１へのパケットのうちの１つを検出し、前記専用ＨＡ１がバインディング・アップデートを専用ＨＡ２に送信して、ＭＮ１のためのＢＳＲ１のアドレスを専用ＨＡ２に与え、前記専用ＨＡ２がバインディング・アップデートをＢＳＲ２に送信して、ＭＮ１のためのＢＳＲ１のアドレスをＢＳＲ２に与える、請求項８に記載の装置。
【発明の詳細な説明】
【技術分野】
【０００１】
本発明は、一般に電気通信システムに関し、より具体的には、ＩＰ無線基地局（ＩＰ  Ｂａｓｅ  Ｔｒａｎｓｃｅｉｖｅｒ  Ｓｔａｔｉｏｎ：ＩＰ−ＢＴＳ、たとえば基地局ルータ（Ｂａｓｅ  Ｓｔａｔｉｏｎ  Ｒｏｕｔｅｒ：ＢＳＲ））アーキテクチャ内のリアルタイムの移動体間通話のための、最適化されたデータ・パスを提供するシステムに関する。
【背景技術】
【０００２】
モバイルＩＰｖ６の基本動作の概略は以下の通りである。ホーム・リンクに現在接続されているか外出中であるかにかかわらず、移動ノード（ｍｏｂｉｌｅ  ｎｏｄｅ：ＭＮ）はホーム・アドレスでアドレス指定可能であることが常に期待される。「ホーム・アドレス」は、移動ノード・ホーム・サブネットにとってルーティング可能であり、移動ノードに割り当てられたＩＰアドレスである。移動ノードが在宅中は、移動ノードのホーム・アドレスにアドレス指定されたパケットは、従来のインターネット・ルーティング・メカニズムを使用してその移動ノードのホーム・リンクにルーティングされる。
【０００３】
移動ノードが外出先の何らかの外部リンクに接続されている間は、移動ノードは１つまたは複数の気付アドレス（Ｃａｒｅ−ｏｆ  Ａｄｄｒｅｓｓ：ＣｏＡ））でアドレス指定可能である。気付アドレスは、移動ノードが到達できる、特定の外部リンクのサブネット・プレフィックスを有する移動ノードに関連付けられたＩＰアドレスである。移動ノードは、ステートレス（ｓｔａｔｅｌｅｓｓ）またはステートフル（ｓｔａｔｅｆｕｌｌ）自動初期化などの従来のＩＰｖ６メカニズムを介して、気付アドレスを取得できる。移動ノードがこの位置にとどまる限り、この気付アドレスにアドレス指定されたパケットはその移動ノードにルーティングされる。移動ノードは、移動中であるがまだ以前のリンクで到達可能な場合などに、いくつかの気付アドレスからパケットを受け取ることもできる。
【０００４】
移動ノードのホーム・アドレスと気付アドレスとの間の関連は、移動ノードのための「バインディング（ｂｉｎｄｉｎｇ）」として知られる。外出中は、移動ノードは第１気付アドレスをホーム・リンクのルータに登録し、このルータに移動ノードのための「ホーム・エージェント」として働くよう要求する。移動ノードは、「バインディング・アップデート」メッセージをホーム・エージェントに送信することによって、このバインディング登録を行う。ホーム・エージェントは、「バインディング確認」メッセージを返すことによって移動ノードに応答する。
【０００５】
本明細書では、移動ノードと通信するどのようなノードも移動ノードの「対向ノード」と呼ばれ、それ自身は固定ノードでも移動ノードでもよい。移動ノードは、現在の位置情報を対向ノードに提供できる。これは対向ノードへの登録によって生じ、経路最適化と呼ばれる。この手順の一部として、バインディングの確立を承認するためにリターン・ルータビリティ・テストが行われる。移動ノードと対向ノードの間の通信のために、可能なモードが２つある。第１モードの双方向トンネリングは、対向ノードからのモバイルＩＰｖ６のサポートを必要とせず、たとえ移動ノードが現在のバインディングを対向ノードに登録していなくても利用可能である。対向ノードからのパケットはホーム・エージェントに向かってルーティングされ、次いで移動ノードに向かってトンネリングされる。対向ノードへのパケットは、移動ノードからホーム・エージェントに向かってトンネリング（「リバース・トンネル」）され、次いで、通常ホーム・ネットワークから対向ノードに向かってルーティングされる。このモードでは、ホーム・リンク上の移動ノードのホーム・アドレス（または複数のホーム・アドレス）にアドレス指定されたどのようなＩＰｖ６パケットも、ホーム・エージェントが遮断する。それぞれの遮断されたパケットは、移動ノードの第１気付アドレスに向かってトンネリングされる。このトンネリングはＩＰｖ６のカプセル化を使用して行われる。
【０００６】
第２モードの「経路最適化」は、移動ノードが現在の気付アドレスをモバイルＩＰｖ６（Ｍｏｂｉｌｅ  ＩＰｖ６：ＭＩＰｖ６）対応の対向ノードに登録することが必要である。対向ノードからのパケットは移動ノードの気付アドレスに直接ルーティングできる。どのＩＰｖ６の宛先にパケットを送信するときも、パケットの宛先アドレスのエントリのために、対向ノードはキャッシュ・バインディングを検査する。この宛先アドレスのキャッシュ・バインディングが見つかると、対向ノードは新しいタイプのＩＰｖ６ルーティング・ヘッダを使用して、このバインディング内に示される気付アドレス経由で移動ノードにパケットをルーティングする。
【０００７】
移動ノードの気付アドレスにパケットを直接ルーティングすることによって、最短通信パスが使用できるようになる。これにより、移動ノードのホーム・エージェントおよびホーム・リンクにおける輻輳も解消される。さらに、ホーム・エージェント、またはホーム・エージェントにつながるパス上のネットワークの、起こりうるどのような障害の影響も軽減される。パケットを移動ノードに直接ルーティングすると、対向ノードがＩＰｖ６ヘッダ内の宛先アドレスを移動ノードの気付アドレスに設定する。所望のホーム・アドレスに搬送するために、新しいタイプのＩＰｖ６ルーティング・ヘッダもパケットに追加される。同様に、パケットを対向ノードに送信すると、移動ノードがパケットのＩＰｖ６ヘッダ内のソース・アドレスを移動ノードの現在の気付アドレスに設定する。移動ノードのホーム・アドレスを搬送するために、移動ノードは新しいＩＰｖ６「ホーム・アドレス」宛先オプションを追加する。これらのパケット内にホーム・アドレスを含むことにより、気付アドレスの使用がネットワーク層の上位層で（たとえばトランスポート層で）透過的になる。モバイルＩＰｖ６は複数のホーム・エージェントのためのサポート、およびホーム・ネットワークの再構成のための限定されたサポートも提供する。これらの場合、移動ノードはそれ自体のホーム・エージェントのＩＰアドレスを認識してない場合があり、ホーム・サブネット・プレフィックスさえも経時的に変化する場合がある。
【０００８】
「動的ホーム・エージェント・アドレス探索」として知られるメカニズムにより、たとえ移動ノードが外出中であっても、移動ノードはそれ自体のホーム・リンク上のホーム・エージェントのＩＰアドレスを動的に探索できる。移動ノードは、「モバイル・プレフィックス探索」メカニズムを介して、ホーム・サブネット・プレフィックスについての新しい情報を確認することもできる。
【０００９】
ＨｏＴ／ｉ／ＣｏＴ／ｉ／メッセージ・シーケンスを使用して、経路最適化手順を検出し開始するためにＩＰ−ＢＴＳを利用する他の提案がある。しかしこれらの提案は、バインディング・アップデートを確立するためにかなり多くの信号を必要とする。ＲＦＣ３７７５内で定義されたＨｏＴ／ｉ／ＣｏＴ／ｉ／メッセージ・シーケンスは、セキュリティ関係を有していない可能性があるノード間で動作することが企図されている。このメッセージ・シーケンスは、バインディング・アップデート・メッセージの完全性と真正性の保護を提供する。
【発明の概要】
【発明が解決しようとする課題】
【００１０】
したがって、当技術分野では、特に基地局ルーティング・アーキテクチャ・ネットワーク内の移動体間通信のための、改良されたより効率的なシステムを提供するシステムが必要とされている。
【課題を解決するための手段】
【００１１】
本方法および装置の一実施形態は、装置を包含する。本装置のこの実施形態は、基地局ルーティング・アーキテクチャ・ネットワーク内の２つの移動端末間の通信を確立するための手段と、すべてのトラフィックが基地局ルーティング・アーキテクチャ・ネットワーク内のアンカー・ポイントを通過する必要なしに、２つの移動端末間のルーティングを最適化するための手段とを含むことができる。
【００１２】
本方法および装置の別の実施形態は、方法を包含する。本方法のこの実施形態は、基地局ルーティング・アーキテクチャ・ネットワーク内の２つの移動端末間の通信を確立するステップと、すべてのトラフィックが基地局ルーティング・アーキテクチャ・ネットワーク内のアンカー・ポイントを通過する必要なしに、２つの移動端末間のルーティングを最適化するステップとを含むことができる。
【００１３】
本方法および装置の実施形態の特徴は、添付の特許請求の範囲において詳細に説明する。これらの実施形態は、添付の図面と併せて以下の説明を参照することによって最もよく理解されよう。いくつかの図において、同じ参照番号は同じ要素を特定する。
【図面の簡単な説明】
【００１４】
【図１】本装置による実施形態を示す。
【図２】本方法による流れ図の実施形態である。
【発明を実施するための形態】
【００１５】
フラットＩＰ−ＢＴＳアーキテクチャは、ネットワーク内の移動局（ｍｏｂｉｌｅ  ｓｔａｔｉｏｎ：ＭＳ）と、アンカー・ポイントすなわちホーム・エージェント（Ｈｏｍｅ  Ａｇｅｎｔ：ＨＡ）との間に透過的な接続を提供するために、ネットワーク制御によるモビリティを利用する。この透過性は、変化しているＩＰ−ＢＴＳに関連付けられているモビリティをＭＳから隠し、無線信号を減少させる。
【００１６】
しかし、これはすべてのベアラ・トラフィックがアンカー・ポイントを通過することを意味する。移動体間通話における両方の移動体が共通のサブ・ドメイン内に位置する場合、これは非効率的である。たとえ、その移動体がネットワークのアンカー・ポイント（ＨＡ）への単一ホップのリンク層接続を認識しても、地域的または集中型位置に位置している可能性があるアンカー・ポイント（ＨＡ）をすべてのトラフィックが通過する必要なしに、２つの移動体間に最適化されたルーティングを提供することが望ましい。
【００１７】
ＩＰ−ＢＴＳはネットワークの複雑性を最小限に抑えるので、たとえば、第３世代環境における分散型第４世代タイプのアーキテクチャを可能にする。ＩＰ−ＢＴＳは、ノードＢ、無線ネットワーク制御装置（Ｒａｄｉｏ  Ｎｅｔｗｏｒｋ  Ｃｏｎｔｒｏｌｌｅｒ：ＲＮＣ）、およびＩＰゲートウェイ（たとえば、サービングＧＰＲＳサポート・ノード（Ｓｅｒｖｉｎｇ  ＧＰＲＳ  Ｓｕｐｐｏｒｔ  Ｎｏｄｅ：ＳＧＳＮ）およびゲートウェイＧＰＲＳサポート・ノード（Ｇａｔｅｗａｙ  ＧＰＲＳ  Ｓｕｐｐｏｒｔ  Ｎｏｄｅ：ＧＧＳＮ）、またはパケット・データ・サービス・ノード（Ｐａｃｋｅｔ  Ｄａｔａ  Ｓｅｒｖｉｃｅ  Ｎｏｄｅ：ＰＤＳＮ））の機能を、１つの物理的要素内で効率的にカプセル化し、インターネットへのＩＰベースの無線アクセス・ポイントを提供する。従来のネットワークとＩＰ−ＢＴＳは、端末がＢＳＲの到達範囲内にあるときに向上されるシームレスなユーザ・エクスペリエンスを提供しながら共存できる。ＢＳＲの価値ある提案は、移動体高速データ利用者率の著しい増加における資本支出と運営費の影響を最小限に抑えるという課題に対処し、同時に、安定した高品質な屋内カバレージを含む、シームレスな無線サービスの提供を可能にする。従来のユニバーサル移動体通信システム（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ：ＵＭＴＳ）および符号分割多元接続（ｃｏｄｅ  ｄｉｖｉｓｉｏｎ  ｍｕｌｔｉｐｌｅ  ａｃｃｅｓｓ：ｃｄｍａ）２０００のネットワーク・アーキテクチャは本来階層的であり、無線トラフィックはＲＮＣ、ＳＧＳＮ、およびＧＧＳＮまたはＰＤＳＮを含む複数の諸要素を通じて処理される。たとえば、ＢＳＲはこれらの複数のネットワーク要素を取得し、それらの集合的機能を単一のエッジ・ノードに統合する。
【００１８】
本方法および装置による実施形態は、２つの移動体間に最適化されたルーティング・トンネルを作成するために、既存のＲＦＣ３７７５信号メッセージを利用する。これらの実施形態は、セキュリティ関連のための要求を最小限に抑え、無線信号を排除し、最適化されたデータ・パスを確立するために必要なメッセージ数を最小限に抑える。さらに、本方法の実施形態は、ＭＳ動作のためトンネルを除去するためのメカニズムを提供する。ＲＦＣ３７７５信号メッセージは、ＩＰｖ６内のモビリティ・サポートのために利用される。
【００１９】
本方法および装置による実施形態は、移動体間通信のための、経路が最適化されたデータ・パスを提供する。これはＶｏＩＰなどの遅延に敏感なアプリケーションにとって重要である。
【００２０】
一般的に、本方法および装置による実施形態は、ＨＡにＨＡ内のトラフィックを検出させることによって動作し、次いで、ＢＳＲ間に直接ルーティング・パスを確立するためにバインディング・アップデート手順を開始し、すべてのトラフィックがＨＡをトンネリングする必要性をなくす。
【００２１】
移動体の接続点（ｍｏｂｉｌｅ  ｐｏｉｎｔ  ｏｆ  ａｔｔａｃｈｍｅｎｔｓ：ＭＰＡｓ）に、ＭＰＡ間のＭＩＰ６経路最適化（ｒｏｕｔｉｎｇ  ｏｐｔｉｍｉｚａｔｉｏｎ：ＲＯ）を検出させて開始させる代わりに、ＨＡがＲＯを検出し開始できる。これによりＭＰＡ間の共有鍵が不要になるか、またはＨＯＴ／ｉ／ＣｏＴ／ｉ／メッセージ・シーケンスの実行が不要になる。ＭＰＡとＨＡだけが、与えられた共有鍵を必要とする。
【００２２】
実施例として、
ＨＡ１−−−−−−ＭＰＡ１（ＢＳＲ１）−−−−−−ＭＮ１
−−−−−−ＭＰＡ２（ＢＳＲ２）−−−−−−ＭＮ２
ＨＡが、ＭＮ１からＭＮ２への（またはＭＮ２からＭＮ１への）パケットを検出する
＋  ＨＡがバインディング情報をＭＰＡ１に送信し、ＭＮ２のためのＭＰＡ２のアドレスをＭＰＡ１に与える
＋  ＨＡがバインディング情報をＭＰＡ２に送信し、ＭＮ１のためのＭＰＡ１のアドレスをＭＰＡ２に与える。
【００２３】
ＲＯの制御が所望される場合はこれをＨＡで行うことができる。これはＨＡ間に拡張することもできる。たとえば、
ＨＡ１−−−−−−ＭＰＡ１−−−−−−ＭＮ１
ＨＡ２−−−−−−ＭＰＡ２−−−−−−ＭＮ２
ＨＡが互いのネットワーク・プレフィックスを認識している場合は、どちらか一方のＨＡがＨＡ間パケットを検出できる。ＨＡ１はＭＮ１からＭＮ２への（またはＭＮ２からＭＮ１への）パケットを検出する
＋ＨＡ１がバインディング情報をＨＡ２に送信し、ＭＮ１のためのＭＰＡ１のアドレスをＨＡ２に与える
＋ＭＰＡ２がバインディング情報をＭＰＡ２に送信し、ＭＮ１のためのＭＡＰ１のアドレスをＭＰＡ２に与える。逆方向を繰り返す。
【００２４】
いくつかの知られたシステムは、ＨｏＴ／ｉ／ＣｏＴ／ｉ／メッセージ・シーケンスを使用して経路最適化手順を検出し開始するためにＭＰＡを利用するが、これらの提案は、バインディング・アップデートを確立するためにかなり多くの信号を必要とする。ＲＦＣ３７７５内で定義されたＨｏＴ／ｉ／ＣｏＴ／ｉ／メッセージ・シーケンスは、セキュリティ関係を有していない可能性があるノード間で動作することが企図されている。このシーケンスは、バインディング・アップデート・メッセージの完全性と真正性の保護を提供する。
【００２５】
本方法および装置による実施形態では、ＭＰＡとＨＡはすでにセキュリティ関係があるので、ＨｏＴ／ｉ／ＣｏＴ／ｉ／メッセージ・シーケンスは不要である。さらに、ＨＡは、経路最適化から恩恵を受けられるトラフィックを検出するために理想的な位置にある。さらに、ＨＡは、後続のモビリティ・イベントのため、以前のバインディング・アップデートを除去するためにモビリティ・バインディング・アップデート・メッセージを使用できる。
【００２６】
ネットワーク制御によるモビリティおよび経路最適化の使用は、次世代アーキテクチャで大きな注目を集める領域である。
【００２７】
図１は、本装置による実施形態を示す。この実施形態では、基地局ルーティング・アーキテクチャ・ネットワーク１０２は、ＢＳＲ１０４と１０６、およびＬＭＡＰ（Ｌｏｃａｌ  Ｍｕｌｔｉｍｅｄｉａ  Ａｃｃｅｓｓ  Ｐｌａｔｆｏｒｍ）１０８などのＬＭＡＰを有することができる。本明細書で使用するＬＭＡＰという用語の使用は、ＨＡであるＬＭＡＰを指すことが理解されるべきである。移動端末１０５（移動局、移動体、セルラー式電話などとも呼ばれる）はＢＳＲ１０４と動作可能に結合でき、移動端末１０７はＢＳＲ１０６と動作可能に結合できる。ＢＳＲ１０４は、ＲＦＣ３７７５信号メッセージ１１０を使用して、ルート１２０に沿ってＬＭＡＰ１０８と通信でき、ＢＳＲ１０６は、ＲＦＣ３７７５信号メッセージ１１２を使用して、ルート１２２に沿ってＬＭＡＰ１０８と通信できる。
【００２８】
本方法および装置の実施形態は、ＲＦＣ３７７５信号メッセージ１１４を使用して、ＢＳＲ１０４、１０６の間に直接経路２１４を確立する。バインディング・アップデート手順がＢＳＲ１０４、１０６の間に直接ルーティング・パスを確立し、すべてのトラフィックがＬＭＡＰ１０８をトンネリングする必要性をなくす。したがって、ルート１１４が移動端末１０５と移動端末１０７の間の移動体間通信のための最適化されたデータ・パスである。
【００２９】
図２は、ＢＳＲアーキテクチャ内のＶｏＩＰ移動体間通話のための最適化されたデータ・パスを提供するための、本方法による流れ図を示したものである。
【００３０】
本方法の一実施形態は、ＲＦＣ３７７５信号メッセージを有する基地局ルーティング・アーキテクチャ・ネットワーク内の２つの移動端末間の通信を確立するステップ（２０１）と、２つの移動端末間に最適化されたルーティング・トンネルを作成するために既存のＲＦＣ３７７５信号メッセージを使用するステップ（２０２）と、すべてのトラフィックが基地局ルーティング・アーキテクチャ・ネットワーク内のアンカー・ポイントを通過する必要なしに、２つの移動端末間をルーティングするステップ（２０３）とを有することができる。
【００３１】
一実施例において、本装置は１つまたは複数の電子コンポーネント、ハードウェア・コンポーネント、およびコンピュータ・ソフトウェア・コンポーネントなどの複数のコンポーネントを含むことができる。このようなコンポーネントのいくつかは、装置内で結合または分割できる。
【００３２】
本装置は、ソフトウェア、ファームウェア、および／またはアセンブリ言語などを格納できる、少なくとも１つのコンピュータ可読の信号担持媒体を用いることができる。コンピュータ可読の信号担持媒体は、磁気、電気、光、生物学的、および／または原子のデータ記憶媒体を含むことができる。たとえば、コンピュータ可読の信号担持媒体は、フロッピー（登録商標）・ディスク、磁気テープ、ＣＤ−ＲＯＭｓ、ＤＶＤ−ＲＯＭｓ、ハード・ディスク・ドライブ、および電子メモリなどを含むことができる。コンピュータ可読の信号担持媒体は、たとえば、電話ネットワーク、ローカル・エリア・ネットワーク（ｌｏｃａｌ  ａｒｅａ  ｎｅｔｗｏｒｋ：ＬＡＮ）、ワイド・エリア・ネットワーク（ｗｉｄｅ  ａｒｅａ  ｎｅｔｗｏｒｋ：ＷＡＮ）、インターネット、および無線ネットワークのうちの少なくとも１つなどの、本装置を含む、または本装置に結合されたネットワークを介して送信された、変調された搬送波信号も含むことができる。本明細書では「バインディング・アップデート」という用語が使用されているが、この用語は一般的に、その範囲内に「バインディング・アップデート」を含むことができるアドレス・バインディング・メッセージも指すことが理解されるべきである。本方法および装置の一実施形態が、ＢＳＲなどの用語で特定される諸要素で表されている。これらの用語はＩＰゲートウェイ（ＩＰ  ｇａｔｅｗａｙ：ＩＰＧＷ）とＩＰ  ＢＴＳを含むことが理解されるべきである。フラットＩＰという用語の使用はこれらの用語の使用にも関係し、諸要素（あるいは層（物理層、リンク層、ＩＰ層）ごとの別々の要素）の階層に対して、アクセス特有のネットワーク（ＵＭＴＳ、ｃｄｍａ２０００、ＷｉＭＡＸ（ｗｏｒｌｄｗｉｄｅ  ｉｎｔｅｒｏｐｅｒａｂｉｌｉｔｙ  ｆｏｒ  ｍｉｃｒｏｗａｖｅ  ａｃｃｅｓｓ）など）内に単一の要素があるネットワークを指す。本方法および装置の一実施形態は、ＵＭＴＳ特有のものとして示される。しかし、本方法および装置は、ｃｄｍａ２０００などの他のシステムでも使用できる。
【００３３】
本方法および装置は、示された実施形態の特定の詳細に限定されるものではなく、他の変更形態およびアプリケーションが企図されている。本明細書に含まれる本方法および装置の真の精神および範囲から逸脱することなしに、上述の実施形態にある程度の他の変更が行われてよい。したがって、上記の説明の内容は例示的なものであって、限定的な意味ではないと解釈されるべきことが意図される。
【図１】
2010510753.tif 000003
【図２】
2010510753.tif 000004
【国際調査報告】
2010510753.tif 000005
2010510753.tif 000006
2010510753.tif 000007